(57)【要約】【課題】コンピュータ切替器を利用して複数のコンピュータ本体においてファイルを転送するシステムを提供することを課題とする。【解決手段】マイクロコントロールユニットと、該マイクロコントロールユニット、及び、キーボード、マウス、ディスプレイを含む組合せに結合する第１ＵＳＢインターフェースと、該マイクロコントロールユニットと複数のコンピュータ本体の間に結合する第２ＵＳＢインターフェース、及び、該複数のコンピュータ本体のうちの１つの第１コンピュータ本体に結合する該キーボード、マウス、ディスプレイを含む組合せを該複数のコンピュータ本体のうちの１つの第２コンピュータ本体との結合に切り替えるための切替手段接とを含む。該マイクロコントロールユニットは、更に該第１コンピュータ本体内に保存しているファイルを一時的に保存し、また、該ファイルを該第２コンピュータ本体内へ転送することに用いるバッファストレージを含む。【選択図】図２
2010108499.tif 000002
【特許請求の範囲】
【請求項１】
マイクロコントロールユニットと、
前記マイクロコントロールユニット、及び、キーボードとマウスを含む組合せに結合する第１ＵＳＢインターフェースと、
前記マイクロコントロールユニット、及び、それぞれ１つのディスプレイに対応する複数のコンピュータ本体の間に結合する第２ＵＳＢインターフェース、及び、
前記複数のコンピュータ本体のうちの１つの第１コンピュータ本体に結合する前記キーボードとマウスを含む組合せを前記複数のコンピュータ本体のうちの１つの第２コンピュータ本体との結合に切り替えるための切替手段接と、を含み、
前記マイクロコントロールユニットは、更に前記第１コンピュータ本体内に保存しているファイルを一時的に保存し、また、前記ファイルを前記第２コンピュータ本体内へ転送することに用いるバッファストレージを含むことを特徴とするコンピュータ切替器を利用して複数のコンピュータ本体においてファイルを転送するシステム。
【請求項２】
第１ＵＳＢインターフェースは、ユニバーサルシリアルバスとＵＳＢハブからなり、前記ユニバーサルシリアルバスが前記マイクロコントロールユニットと結合し、前記ＵＳＢハブがユニバーサルシリアルバス、及び、前記キーボードとマウスを含む組合せの間に結合することを特徴とする請求項１に記載するコンピュータ切替器を利用して複数のコンピュータ本体においてファイルを転送するシステム。
【請求項３】
前記第１ＵＳＢインターフェースには、前記キーボードとマウスを含む組合せと対応して接続するための２組のユニバーサルシリアルバスを備えることを特徴とする請求項１に記載するコンピュータ切替器を利用して複数のコンピュータ本体においてファイルを転送するシステム。
【請求項４】
更に、前記マイクロコントロールユニットと結合するビデオ切替ユニットを含み、且つ、前記ビデオ切替ユニットにはＤＶＩ、或いは、ＨＤＭＩのインターフェースを有することを特徴とする請求項１に記載するコンピュータ切替器を利用して複数のコンピュータ本体においてファイルを転送するシステム。
【請求項５】
前記バッファストレージは、先入先出機能を備えるメモリ装置であることを特徴とする請求項１に記載するコンピュータ切替器を利用して複数のコンピュータ本体においてファイルを転送するシステム。
【請求項６】
前記第２ＵＳＢインターフェースには、それぞれ前記複数のコンピュータ本体のいずれかと対応して結合する複数のＵＳＢシリアルインターフェースエンジンを含むことを特徴とする請求項１に記載するコンピュータ切替器を利用して複数のコンピュータ本体においてファイルを転送するシステム。
【請求項７】
前記マイクロコントロールユニットには、それぞれ前記第２ＵＳＢインターフェースの前記複数のＵＳＢシリアルインターフェースエンジンのいずれかと対応して結合する複数のマイクロコントロールユニットセルを含むことを特徴とする請求項６に記載するコンピュータ切替器を利用して複数のコンピュータ本体においてファイルを転送するシステム。
【請求項８】
前記切替手段には、更に手動切替を行うための切替ボタン、或いは、切替スイッチを含むことを特徴とする請求項１に記載するコンピュータ切替器を利用して複数のコンピュータ本体においてファイルを転送するシステム。
【請求項９】
更に前記第１コンピュータ本体、及び、前記第２コンピュータ本体がインターネットと接続させるためのネットワークインターフェースを含むことを特徴とする請求項１に記載するコンピュータ切替器を利用して複数のコンピュータ本体においてファイルを転送するシステム。
【請求項１０】
マイクロコントロールユニットと、
前記マイクロコントロールユニット、及び、キーボード、ディスプレイとマウスを含む組合せに結合する第１ＵＳＢインターフェースと、
前記マイクロコントロールユニット、及び、複数のコンピュータ本体の間に結合する第２ＵＳＢインターフェース、及び、
前記複数のコンピュータ本体のうちの１つの第１コンピュータ本体に結合する前記キーボード、ディスプレイとマウスを含む組合せを前記複数のコンピュータ本体のうちの１つの第２コンピュータ本体との結合に切り替えるための切替手段接と、を含み、
前記マイクロコントロールユニットは、更に前記第１コンピュータ本体内に保存しているファイルを一時的に保存し、また、前記ファイルを前記第２コンピュータ本体内へ転送することに用いるバッファストレージを含むことを特徴とするコンピュータ切替器を利用して複数のコンピュータ本体においてファイルを転送するシステム。
【請求項１１】
第１ＵＳＢインターフェースは、ユニバーサルシリアルバスとＵＳＢハブからなり、前記ユニバーサルシリアルバスが前記マイクロコントロールユニットと結合し、前記ＵＳＢハブがユニバーサルシリアルバス、及び、前記キーボード、ディスプレイとマウスを含む組合せの間に結合することを特徴とする請求項１０に記載するコンピュータ切替器を利用して複数のコンピュータ本体においてファイルを転送するシステム。
【請求項１２】
前記第１ＵＳＢインターフェースには、前記キーボード、ディスプレイ、及び、マウスを含む組合せと対応して接続するための３組のユニバーサルシリアルバスを備えることを特徴とする請求項１０に記載するコンピュータ切替器を利用して複数のコンピュータ本体においてファイルを転送するシステム。
【請求項１３】
更に、前記マイクロコントロールユニットと結合するビデオ切替ユニットを含み、且つ、前記ビデオ切替ユニットにはＤＶＩ、或いは、ＨＤＭＩのインターフェースを有することを特徴とする請求項１０に記載するコンピュータ切替器を利用して複数のコンピュータ本体においてファイルを転送するシステム。
【請求項１４】
前記バッファストレージは、先入先出機能を備えるメモリ装置であることを特徴とする請求項１０に記載するコンピュータ切替器を利用して複数のコンピュータ本体においてファイルを転送するシステム。
【請求項１５】
前記第２ＵＳＢインターフェースには、それぞれ前記複数のコンピュータ本体のいずれかと対応して結合する複数のＵＳＢシリアルインターフェースエンジンを含むことを特徴とする請求項１０に記載するコンピュータ切替器を利用して複数のコンピュータ本体においてファイルを転送するシステム。
【請求項１６】
前記マイクロコントロールユニットには、それぞれ前記第２ＵＳＢインターフェースの前記複数のＵＳＢシリアルインターフェースエンジンのいずれかと対応して結合する複数のマイクロコントロールユニットセルを含むことを特徴とする請求項１５に記載するコンピュータ切替器を利用して複数のコンピュータ本体においてファイルを転送するシステム。
【請求項１７】
前記切替手段には、更に手動切替を行うための切替ボタン、或いは、切替スイッチを含むことを特徴とする請求項１０に記載するコンピュータ切替器を利用して複数のコンピュータ本体においてファイルを転送するシステム。
【発明の詳細な説明】
【技術分野】
【０００１】
本発明は、コンピュータ切替器に関し、特に、コンピュータ切替器を利用して複数のコンピュータ本体においてファイルを転送するシステムに関する。
【背景技術】
【０００２】
コンピュータ切替器（例えばＫＶＭ（キーボード、ビデオ、マウス切替器）とＫＭ（キーボード、マウス）切替器が、未だ開発されていない時、利用者は同時に２台のコンピュータを操作する場合、必ず２組のキーボードとマウスを使用しなければならなかった。同時に３台のコンピュータを操作する場合、必ず３組のキーボードとマウスを使用しなければならなかった。こうすると接続ケーブルが大量に増え、テーブルの上も乱雑になる現象が起き、しかも複数組のキーボードとマウスを購入する必要があるため、資源の浪費が起きていた。そのためこれら装置は変換器１台、少なくともコンピュータ本体２台、キーボード１個及び少なくとも該コンピュータ本体２台に対応するディスプレイ２台であった。
【０００３】
上記の問題を解決するため、ＫＶＭコンピュータ切替器が開発された時、複数台のコンピュータ本体に接続でき、また１組のキーボード、マウスとディスプレイを利用してこの複数台のコンピュータ本体を制御できるようになった。こうすることで、キーボードとマウスの購買コストを大幅に削減でき、且つ接続ケーブルの本数を減らすことができたため、大量の接続ケーブルによるテーブル上の乱雑な現象を解決できた。同じような道理により、ＫＭコンピュータ切替器で大量の接続ケーブルによるテーブル上の乱雑な現象を解決できるようになった。
【０００４】
図１は、従来のＫＶＭコンピュータ切替器の機能ブロック図である。図に示すように該ＫＶＭコンピュータ切替器が、１組のキーボード／ディスプレイ／マウスと接続し、該組キーボード／ディスプレイ／マウスを通じて該ＫＶＭ切替装置と結合する複数のコンピュータ本体を制御するＫＶＭ切替装置１台を含む。該ＫＶＭコンピュータ切替器には、更に該複数のコンピュータ本体と該ＫＶＭ切替装置の間に接続する複数のハブを含む。該ＫＶＭコンピュータ切替器が第１コンピュータ本体ＰＣ１から１つのファイルを第２コンピュータ本体ＰＣ２へ送り出させるため、該ＫＶＭコンピュータ切替器には更に複数の各ハブ間に接続するデータ転送ユニットを含む。こうすることで、ファイルが第１コンピュータ本体ＰＣ１及び第２コンピュータ本体ＰＣ２と関係する各ハブ間のデータ転送ユニットを通じて第１コンピュータ本体ＰＣ１から第２コンピュータ本体ＰＣ２に転送できる。
【０００５】
このタイプのＫＶＭコンピュータ切替器について言うと、該ＫＶＭコンピュータ切替器と５台のコンピュータ本体と接続すると、該組キーボード/ディスプレイ/マウスにより、この５台のコンピュータ本体を制御できることを示し、この時、５台のコンピュータ本体の間にファイルを転送するため４組のデータ転送ユニットをその中の５組のハブの間に配置しなければならない。このタイプのＫＶＭコンピュータ切替器が接続できるコンピュータ本体が多ければ多いほど、そのデータ転送ユニットの数量も増えていくため、大幅にその体積と製造コストが増加してしまう。
【０００６】
このため、如何にしてＫＶＭコンピュータ切替器の体積と製造コストが大幅に増えてはならないという前提において、ＫＶＭコンピュータ切替器を通じて各コンピュータの間にファイルを転送することができるかが意味のある考え方である。
【発明の概要】
【発明が解決しようとする課題】
【０００７】
これにより、本発明は小型と低製造コストという効果を実現できるコンピュータ切替器を利用して複数のコンピュータ本体においてファイルを転送するシステムを提供することを主目的とする。
【課題を解決するための手段】
【０００８】
上記の目的を達成するため、本発明の技術を次のように実現していく。コンピュータ切替器を利用して複数のコンピュータ本体においてファイルを転送するシステムであって、該システムにはマイクロコントロールユニットと、該マイクロコントロールユニット及びキーボードとマウスを含む組合せに結合する第１ＵＳＢインターフェースと、該マイクロコントロールユニット及びそれぞれ１つのディスプレイに対応する複数のコンピュータ本体の間に結合する第２ＵＳＢインターフェース、及び該複数のコンピュータ本体のうちの１つの第１コンピュータ本体に結合する該キーボードとマウスを含む組合せを該複数のコンピュータ本体のうちの１つの第２コンピュータ本体との結合に切り替えるための切替手段接とを含む。該マイクロコントロールユニットは、更に該第１コンピュータ本体内に保存しているファイルを一時的に保存し、また該ファイルを該第２コンピュータ本体内へ転送することに用いるバッファストレージを含む。
【０００９】
本発明の別の実施例では、コンピュータ切替器を利用して複数のコンピュータ本体においてファイルを転送するシステムを開示する。該システムにはマイクロコントロールユニットと、該マイクロコントロールユニット及びキーボード、マウス、ディスプレイを含む組合せに結合する第１ＵＳＢインターフェースと、該マイクロコントロールユニットと複数のコンピュータ本体の間に結合する第２ＵＳＢインターフェース、及び該複数のコンピュータ本体のうちの１つの第１コンピュータ本体に結合する該キーボード、マウス、ディスプレイを含む組合せを該複数のコンピュータ本体のうちの１つの第２コンピュータ本体との結合に切り替えるための切替手段接とを含む。該マイクロコントロールユニットは、更に該第１コンピュータ本体内に保存しているファイルを一時的に保存し、また該ファイルを該第２コンピュータ本体内へ転送することに用いるバッファストレージを含む。
【００１０】
当該技術分野における熟練者は、下記の図面と詳細な説明を閲覧することで、本発明のその他システム、方法、特徴及び長所を理解できる。我々は、本明細書内に含まれるこれら追加されたシステム、方法、特徴及び長所が、本発明の内容をカバーし、且つ添付されている特許請求の範囲が保護されることを期す。
【図面の簡単な説明】
【００１１】
【図１】従来のＫＶＭコンピュータ切替器の機能ブロック図。
【図２】本発明のコンピュータ切替器を利用して複数のコンピュータ本体においてファイルを転送するシステムの機能ブロック図。
【図３】本発明のコンピュータ切替器を利用して複数のコンピュータ本体においてファイルを転送するシステムの別の機能ブロック図。
【図４】本発明のコンピュータ切替器を利用して複数のコンピュータ本体においてファイルを転送するシステムの更なる機能ブロック図。
【発明を実施するための形態】
【００１２】
本発明は、主に本発明のコンピュータ切替器を利用して複数のコンピュータ本体においてファイルを転送するシステムを提供し、該システムが１組のデータ転送ユニットだけでファイルの転送を行うことができるため、コンピュータ切替器のコストと体積を大幅に削減できる。
【００１３】
図２は、本発明のコンピュータ切替器を利用して複数のコンピュータ本体においてファイルを転送するシステムの機能ブロック図である。図に示すように該システム１０は、１つのＫＭ（キーボード／マウス）切替器のシステムとして見なされることができる。主にマイクロコントロールユニット１１、第１ＵＳＢインターフェース１２、キーボード１３とマウス１４を含む組合せ、第２ＵＳＢインターフェース１５、切替手段（図示せず）及びそれぞれ１つのディスプレイに対応する複数のコンピュータ本体（例えばＰＣ１、ＰＣ２等）からなる。第１ＵＳＢインターフェース１２がマイクロコントロールユニット１１及びキーボード１３とマウス１４を含む組合せの間に結合する。第２ＵＳＢインターフェース１５がマイクロコントロールユニット１１及び複数のコンピュータ本体（例えばＰＣ１、ＰＣ２等）の間に結合する。切替手段が複数のコンピュータ本体（例えばＰＣ１、ＰＣ２等）のうちの１つの第１コンピュータ本体ＰＣ１に結合する該キーボード１３とマウス１４を含む組合せを複数のコンピュータ本体（例えばＰＣ１、ＰＣ２等）のうちの１つの第２コンピュータ本体ＰＣ２との結合に切り替えることに用いる。マイクロコントロールユニット１１には、更に該第１コンピュータ本体ＰＣ１内に保存しているファイルを一時保存し、また該ファイルを該第２コンピュータ本体ＰＣ２内へ転送することに用いるバッファストレージ（図示せず）を含む。
【００１４】
一般的に言うと、複数のコンピュータ本体（例えばＰＣ１、ＰＣ２等）は、それぞれ第２ＵＳＢインターフェース１５内の複数ＵＳＢシリアルインターフェースエンジン（ＳＩＥ、ｓｅｒｉａｌ  ｉｎｔｅｒｆａｃｅ  ｅｎｇｉｎｅ）１５１、１５２に対応してマイクロコントロールユニット１１と結合する。該システム１０は、２台以上のコンピュータ本体と結合でき、且つマイクロコントロールユニット１１のバッファストレージを通じて各コンピュータ本体においてファイルの転送を行うことができる。
【００１５】
その他、該システム１０は、更にマイクロコントロールユニット１１と結合するビデオ切替ユニット１６を含み、且つビデオ切替ユニット１６がＤＶＩ或いはＨＤＭＩのインターフェースを備え、該キーボード１３とマウス１４を含む組合せの制御を受けるコンピュータ本体の高解像度のビデオ信号を出力することに用いる。
【００１６】
また、第１ＵＳＢインターフェース１２は、ユニバーサルシリアルバス（ＵＳＢ  ｈｏｓｔ）１２１とＵＳＢハブ１２２からなる。ユニバーサルシリアルバス（ＵＳＢ  ｈｏｓｔ）１２１がマイクロコントロールユニット１１と結合し、ＵＳＢハブ１２２がユニバーサルシリアルバス（ＵＳＢ  ｈｏｓｔ）１２１及びキーボード１３とマウス１４を含む組合せの間に結合する。該切替手段は、マイクロコントロールユニット１１内に内蔵され、各コンピュータ本体に対応する各ディスプレイの境界を計算でき、キーボード１３とマウス１４を含む組合せが各コンピュータ本体と結合する自動切替の根拠とすることに用いる。該切替手段は、更に該システム１０に配置する切替ボタン或いは切替スイッチを含み、キーボード１３とマウス１４を含む組合せを第１コンピュータ本体ＰＣ１との結合状態から第２コンピュータ本体ＰＣ２との結合状態に手動切替することに用いる。次に、該バッファストレージは、先入先出（ＦＩＦＯ、ｆｉｒｓｔ  ｉｎ  ｆｉｒｓｔ  ｏｕｔ）機能を備えるメモリ装置である。
【００１７】
各コンピュータ本体から対応するディスプレイを外し、そのディスプレイを第１ＵＳＢインターフェース１２に接続した場合、システム１０が１つのＫＶＭ（キーボード／ディスプレイ／マウス）切替器のシステムと見なすることができる。
【００１８】
ファイルを第１コンピュータ本体ＰＣ１から第２コンピュータ本体ＰＣ２へ転送する時、該ファイルが、まずユーザによる第１ＵＳＢインターフェース１２、マイクロコントロールユニット１１及び第２ＵＳＢインターフェース１５の操作、制御を通じてマイクロコントロールユニット１１のバッファストレージ内に一時的に保存され、切替手段がキーボード１３とマウス１４を含む組合せを第１コンピュータ本体ＰＣ１との結合状態から第２コンピュータ本体ＰＣ２との結合状態に切り替えた後、バッファストレージ内に一時的に保存しているファイルを第２コンピュータ本体ＰＣ２へ転送される。ユーザが第１コンピュータ本体ＰＣ１内から同時に複数ファイルを第２コンピュータ本体ＰＣ２内へ転送したい場合、これら複数ファイルがバッファストレージ内（バッファストレージの容量が大きければ大きいほど、一時的に保存できるファイル容量と数量も大きい）に一時的に保存されてから、先入先出で第２コンピュータ本体ＰＣ２へ転送される。
【００１９】
図３は、本発明のコンピュータ切替器を利用して複数のコンピュータ本体においてファイルを転送するシステムの別の機能ブロック図である。図に示すように該システム２０が図２内のシステム１０と非常に類似し、１つのＫＭ（キーボード/マウス）切替器のシステムと見なすことができる。キーボード１３とマウス１４を含む組合せとそれぞれ結合するため、その第１ＵＳＢインターフェース１２は、２組のユニバーサルシリアルバス１２３、１２４を有する。当然、キーボード１３、ディスプレイ及びマウス１４を含む組合せとそれぞれ結合するため、第１ＵＳＢインターフェース１２も３組のユニバーサルシリアルバスを有することができ、こうすることで１つのＫＶＭ（キーボード／ディスプレイ／マウス）切替器のシステムと見なすことができる。
【００２０】
その他、該システム２０は、更にマイクロコントロールユニット１１と結合するビデオ切替ユニット１６を含み、且つビデオ切替ユニット１６がＤＶＩ或いはＨＤＭＩのインターフェースを備え、該キーボード１３とマウス１４を含む組合せの制御を受けるコンピュータ本体の高解像度のビデオ信号を出力することに用いる。
【００２１】
図４は、本発明のコンピュータ切替器を利用して複数のコンピュータ本体においてファイルを転送するシステムの更なる機能ブロック図である。図に示すように該システム３０は、１つのＫＭ（キーボード／マウス）切替器のシステムとして見なされることができる。主にマイクロコントロールユニット３１、第１ＵＳＢインターフェース３２、キーボード３３とマウス３４を含む組合せ、第２ＵＳＢインターフェース３５、切替手段（図示せず）及びそれぞれ１つのディスプレイに対応する複数のコンピュータ本体（例えばＰＣ１、ＰＣ２等）からなる。第１ＵＳＢインターフェース３２がマイクロコントロールユニット３１及びキーボード３３とマウス３４を含む組合せの間に結合する。第２ＵＳＢインターフェース３５がマイクロコントロールユニット３１及び複数のコンピュータ本体（例えばＰＣ１、ＰＣ２等）の間に結合する。切替手段が複数のコンピュータ本体（例えばＰＣ１、ＰＣ２等）のうちの１つの第１コンピュータ本体ＰＣ１に結合する該キーボード３３とマウス３４を含む組合せを複数のコンピュータ本体（例えばＰＣ１、ＰＣ２等）のうちの１つの第２コンピュータ本体ＰＣ２との結合に切り替えることに用いる。第１ＵＳＢインターフェース３２は、それぞれキーボード３３及びマウス３４と結合する２つのユニバーサルシリアルバス（ＵＳＢ  ｈｏｓｔ）３２１、３２２を含む。マイクロコントロールユニット３１は、複数のマイクロコントロールユニットセル３１１、３１２を含む。各マイクロコントロールユニットセル３１１、３１２がそれぞれ第２ＵＳＢインターフェース３５のＵＳＢシリアルインターフェースエンジン（ＳＩＥ、ｓｅｒｉａｌ  ｉｎｔｅｒｆａｃｅ  ｅｎｇｉｎｅ）３５１、３５２と接続する。これにより、データ転送時の速度を向上できる。
【００２２】
マイクロコントロールユニット３１には、更にマイクロコントロールユニットセル３１１、３１２の間に結合するバッファストレージ３１０を含み、該第１コンピュータ本体ＰＣ１内に保存するファイルを一時的に保存し、並びに該ファイルを該第２コンピュータ本体ＰＣ２内へ転送することに用いる。一般的に言うと、複数のコンピュータ本体（例えばＰＣ１、ＰＣ２等）は、それぞれ第２ＵＳＢインターフェース３５内の複数ＵＳＢシリアルインターフェースエンジン（ＳＩＥ、ｓｅｒｉａｌ  ｉｎｔｅｒｆａｃｅ  ｅｎｇｉｎｅ）３５１、３５２に対応してマイクロコントロールユニット３１と結合する。該システム３０は３台以上のコンピュータ本体と結合することができる場合、マイクロコントロールユニット３１が必ず３組以上のマイクロコントロールユニットセルを含み、且つバッファストレージ３１０が均しくこの３組以上のマイクロコントロールユニットセルと結合しなければならず、３台以上のコンピュータ本体においてファイルを転送することに用いる。
【００２３】
その他、該システム３０には、更にネットワークインターフェース（図未せず）を含み、該ネットワークインターフェースが少なくとも３組のポートを有する。その第１ポートが第１ケーブルを通じて第１コンピュータ本体ＰＣ１と結合する。その第２ポートが第２ケーブルを通じて第２コンピュータ本体ＰＣ２と結合する。その第３ポートが第３ケーブルを通じてインターネットと接続する。これにより、該システム３０もネットワークのルーティング機能を備え、第１コンピュータ本体ＰＣ１及び第２コンピュータ本体ＰＣ２がインターネットと接続させることができる。当然、このネットワークインターフェースも図２と図３内に示すシステム内に配置することができる。
【００２４】
また、図２乃至図４内に示したシステムには、更にメモリカード内に保存されたファイル内容にアクセスするためのカードリードインターフェースを含む。これにより、該システムもカードリード機能を備え、カードリードインターフェースを通じてカードリーダとして使用できる。
【００２５】
上記のとおり、本発明のシステムは、従来のＫＶＭコンピュータ切替器のように多組のデータ転送ユニットを増設することで複数のコンピュータ本体におけるファイル転送が不要となる。ファイル或いはデータは、１組のバッファストレージを備えるマイクロコントロールユニットを通じて転送するだけで、システムの全体的なコストと体積を大幅に削減することができる。
【００２６】
本発明では好ましい実施例を前述の通り開示しているが、これらは決して本発明を限定するものではなく、任意の当該技術分野における熟練者は、本発明の精神を逸脱しない範囲内において種々の改良変更をなし得ることは、添付されている特許請求の範囲内に含むものであるのが勿論である。
【図１】
2010108499.tif 000003
【図２】
2010108499.tif 000004
【図３】
2010108499.tif 000005
【図４】
2010108499.tif 000006